(57)【特許請求の範囲】
【請求項１】
プレキャストブロックの表面に設けられるスペーサ機構であって、
前記表面から離隔して配置され、貫通孔を有する保持部材と、
前記貫通孔に螺合し、前記保持部材で高さ調整可能に保持される高さ調整部材と、
前記貫通孔の外で前記保持部材に取付けられた、前記保持部材の位置を固定するための固定部材と、
を有することを特徴とするスペーサ機構。
【請求項２】
前記高さ調整部材は、前記貫通孔に螺合する軸部と、前記保持部材から見て前記プレキャストブロックの反対側に位置する頭部とを有し、前記頭部に球座が設けられたことを特徴とする請求項１記載のスペーサ機構。
【請求項３】
スペーサ機構が表面に設けられたプレキャストブロックであって、
前記スペーサ機構は、
前記表面から離隔して配置され、貫通孔を有する保持部材と、
前記貫通孔に螺合し、前記保持部材で高さ調整可能に保持される高さ調整部材と、
前記貫通孔の外で前記保持部材に取付けられた、前記保持部材の位置を固定するための固定部材と、
を有することを特徴とするプレキャストブロック。
【請求項４】
前記高さ調整部材は、前記貫通孔に螺合する軸部と、前記保持部材から見て前記プレキャストブロックの反対側に位置する頭部とを有し、前記頭部に球座が設けられたことを特徴とする請求項３記載のプレキャストブロック。
【請求項５】
下段のプレキャストブロックの上に、上段のプレキャストブロックを鉛直方向に対して傾斜した状態で配置する工程（ａ）と、
上段のプレキャストブロックの傾斜を解消し、前記上段のプレキャストブロックを鉛直方向に沿って配置する工程（ｂ）と、
を有し、
上下のプレキャストブロックのうち一方のプレキャストブロックでは、他方のプレキャストブロックと対向する面に請求項１または請求項２に記載のスペーサ機構が複数設けられ、
前記工程（ａ）において、複数のスペーサ機構のうち一部のスペーサ機構の高さ調整部材の高さを調整し、前記一部のスペーサ機構によって、前記上段のプレキャストブロックを前記下段のプレキャストブロック上に支持し、
前記工程（ｂ）において、前記一部のスペーサ機構とは別のスペーサ機構の高さ調整部材の高さを調整し、前記一部および前記別のスペーサ機構によって、前記上段のプレキャストブロックを前記下段のプレキャストブロック上に支持することを特徴とするプレキャストブロックの配置方法。
【発明の詳細な説明】
【技術分野】
【０００１】
本発明は、スペーサ機構、およびこれを設けたプレキャストブロックとプレキャストブロックの配置方法に関する。
【背景技術】
【０００２】
コンクリート製のプレキャストブロックを上下に積層し、その間にモルタル等の間詰材を充填する構造の場合、上段のプレキャストブロックを配置する際に、ボルトを含むスペーサ機構による高さ調整を行うことがある。
【０００３】
例えば、図６に示す下段のプレキャストブロック２０の上面には内周面に雌ネジを有するインサート２００が埋め込まれており、このインサート２００にボルト１００を螺合させ、回転させることでボルト１００の高さ調整が行われ、その上に上段のプレキャストブロック２０が配置される。
【０００４】
特許文献１には、このようなボルトとインサートによるスペーサ機構の例が記載されている。
【先行技術文献】
【特許文献】
【０００５】
【特許文献１】特開平09-88099号公報
【発明の概要】
【発明が解決しようとする課題】
【０００６】
このような機構では、ボルトの高さ調整を行った後インサートの奥に空隙が残っているのが通常であり、この空隙が長期間に亘ってプレキャストブロックのコンクリートの耐久性を低下させる恐れがある。その他、上段のプレキャストブロックの配置前にインサート内に異物が入り込んで溜まる可能性も有る。
【０００７】
本発明は、プレキャストブロックの耐久性を好適に維持できるスペーサ機構等を提供することを目的とする。
【課題を解決するための手段】
【０００８】
前述した課題を解決するための第１の発明は、プレキャストブロックの表面に設けられるスペーサ機構であって、前記表面から離隔して配置され、貫通孔を有する保持部材と、前記貫通孔に螺合し、前記保持部材で高さ調整可能に保持される高さ調整部材と、前記貫通孔の外で前記保持部材に取付けられた、前記保持部材の位置を固定するための固定部材と、を有することを特徴とするスペーサ機構である。
【０００９】
前記固定部材は、一方の端部が前記プレキャストブロックに埋設され、他方の端部が前記プレキャストブロックから突出し、前記保持部材が前記他方の端部に取り付けられることが望ましい。
前記高さ調整部材は、前記貫通孔に螺合する軸部と、前記保持部材から見て前記プレキャストブロックの反対側に位置する頭部とを有し、前記頭部に球座が設けられることも望ましい。
【００１０】
第２の発明は、スペーサ機構が表面に設けられたプレキャストブロックであって、前記スペーサ機構は、前記表面から離隔して配置され、貫通孔を有する保持部材と、前記貫通孔に螺合し、前記保持部材で高さ調整可能に保持される高さ調整部材と、前記貫通孔の外で前記保持部材に取付けられた、前記保持部材の位置を固定するための固定部材と、を有することを特徴とするプレキャストブロックである。
前記固定部材は、一方の端部が前記プレキャストブロックに埋設され、他方の端部が前記プレキャストブロックから突出し、前記保持部材が前記他方の端部に取り付けられることが望ましい。
前記高さ調整部材は、前記貫通孔に螺合する軸部と、前記保持部材から見て前記プレキャストブロックの反対側に位置する頭部とを有し、前記頭部に球座が設けられることも望ましい。
【００１１】
第３の発明は、下段のプレキャストブロックの上に、上段のプレキャストブロックを鉛直方向に対して傾斜した状態で配置する工程（ａ）と、上段のプレキャストブロックの傾斜を解消し、前記上段のプレキャストブロックを鉛直方向に沿って配置する工程（ｂ）と、を有し、上下のプレキャストブロックのうち一方のプレキャストブロックでは、他方のプレキャストブロックと対向する面に第１の発明のスペーサ機構が複数設けられ、前記工程（ａ）において、複数のスペーサ機構のうち一部のスペーサ機構の高さ調整部材の高さを調整し、前記一部のスペーサ機構によって、前記上段のプレキャストブロックを前記下段のプレキャストブロック上に支持し、前記工程（ｂ）において、前記一部のスペーサ機構とは別のスペーサ機構の高さ調整部材の高さを調整し、前記一部および前記別のスペーサ機構によって、前記上段のプレキャストブロックを前記下段のプレキャストブロック上に支持することを特徴とするプレキャストブロックの配置方法である。
【００１２】
本発明では、プレキャストブロックから離隔して配置した保持部材に高さ調整部材を螺合させるので、前記のインサートを使用した場合のような空隙によるプレキャストブロックの耐久性の低下が生じない。また保持部材の中に異物が溜まるといったこともない。
【００１３】
また、固定部材の一方の端部をプレキャストブロックに埋設し、他方の端部に保持部材を取付けることで、保持部材を好適に位置固定できる。また、上記した方法により、上段のプレキャストブロックを高さ調整されたスペーサ機構により下段のプレキャストブロック上に支持し、上下のプレキャストブロックの間隔を所定値に保ちつつ、プレキャストブロックを鉛直方向に好適に積層できる。
【発明の効果】
【００１４】
本発明により、プレキャストブロックの耐久性を好適に維持できるスペーサ機構等を提供することができる。
【図面の簡単な説明】
【００１５】
【図１】スペーサ機構１を示す図
【図２】プレキャストブロック２の配置状態を示す図
【図３】プレキャストブロック２の配置方法を示す図
【図４】プレキャストブロック２の配置途中を示す図
【図５】スペーサ機構１ａを示す図
【図６】ボルト１００とインサート２００を用いたスペーサ機構を示す図
【発明を実施するための形態】
【００１６】
以下、図面に基づいて本発明の好適な実施形態について詳細に説明する。
【００１７】
[第１の実施形態]
（１．スペーサ機構１）
図１は本発明の第１の実施形態に係るスペーサ機構１を示す図である。本実施形態のスペーサ機構１は、コンクリート製のプレキャストブロック２（以下、「ブロック」ということがある）の表面に設けられ、ナット１１（保持部材）、アンカー筋１３（固定部材）、ボルト１５（高さ調整部材）等を有する。
【００１８】
ナット１１は、ブロック２の表面から離隔した位置に配置され、複数本（図の例では２本）のアンカー筋１３に取付けて位置固定される。ナット１１の貫通孔１１ａの内周面には雌ネジ（不図示）が設けられる。
【００１９】
各アンカー筋１３は、一方の端部がＬ字状に折り曲げた状態でブロック２に埋設される。他方の端部はブロック２の表面から突出する。ナット１１は、この他方の端部に取付けられる。
【００２０】
ボルト１５の軸部には雄ネジが設けられており、これがナット１１の貫通孔１１ａの雌ネジに螺合する。ボルト１５を回転させることで、ボルト１５をナット１１に対して上下させ、高さを調整することができる。また本実施形態では、ボルト１５の頭部に半球状の球座１５ａが設けられる。
【００２１】
図２はスペーサ機構１を用いてブロック２を上下に配置した状態を示す図である。図２では、説明のためスペーサ機構１についてはブロック２に隠れる部分も実線で表示している。後述する図３、４でも同様である。
【００２２】
図２に示すように、スペーサ機構１は、下段のブロック２の上面（上段のブロック２と対向する面）に複数設けられる。本実施形態ではブロック２が略直方体状であり、上面が略矩形状である。スペーサ機構１は、この上面の各隅部に設けられる。さらに、図中奥側の２つの隅部のスペーサ機構１の間の中央部にも、スペーサ機構１が別途設けられる。
【００２３】
上段のブロック２は、これら５つのスペーサ機構１によって下段のブロック２上に支持され、ブロック２が上下に積層して配置される。上段のブロック２の下面において、これらのスペーサ機構１と接触する位置には、ブロック２の損傷等を防ぐため、金属等によるプレート（不図示）が設けられる。
【００２４】
なお、スペーサ機構１の配置はこれに限らない。例えば、図中奥側の２つの隅部のスペーサ機構１を省略し、残り３つのスペーサ機構１で上段のブロック２を支持することも可能である。あるいは４つのスペーサ機構１で上段のブロック２を支持することも可能であるし、５つを超える数のスペーサ機構１で上段のブロック２を支持することも可能である。
【００２５】
（２．プレキャストブロック２の配置方法）
次に、プレキャストブロック２の配置方法について図３を参照して説明する。
【００２６】
本実施形態では、まず、図３（ａ）の点線矢印に示すように、下段のブロック２の図中手前側の２つのスペーサ機構１（一部のスペーサ機構）について、ボルト１５の回転を行い、その高さを調整して一定のレベルに合わせる（頭出し）。図の例では、高さ調整時、ボルト１５を回転させて元の位置から上昇させている。以降においても同様とする。
【００２７】
次に、図３（ｂ）に示すように、上段のブロック２を、上記した手前側の２つのスペーサ機構１によって下段のブロック２上に支持しつつ、鉛直方向から図中手前側に若干傾斜した状態で配置する。なお、図では説明のため傾きを若干誇張して示している。
【００２８】
その後、手前側の２つのスペーサ機構１を支点として上段のブロック２を回転させ、その傾斜を解消するとともに、図中奥側の３つのスペーサ機構１のうち中央部のスペーサ機構１（別のスペーサ機構）のボルト１５を回転させて点線矢印に示すように高さを調整する。
【００２９】
これにより、手前側の２つのスペーサ機構１と、奥側の中央部のスペーサ機構１の３つのスペーサ機構１で上段のブロック２を支持し、図３（ｃ）に示すように上段のブロック２を鉛直方向に沿って配置する。
【００３０】
本実施形態では、さらに図中奥側の残りのスペーサ機構１のボルト１５を回転させて点線矢印に示すように高さ調整を行い、上段のブロック２の下面に当接させる。結果、５つのスペーサ機構１で上段のブロック２を下段のブロック２上に支持し、上下のブロック２が鉛直方向に積層された状態となる。
【００３１】
この後、上下のブロック２間にモルタル等の間詰材（不図示）を充填することで、上下のブロック２が連結される。各スペーサ機構１は間詰材に埋設され、間詰材内に空隙が生じることもない。
【００３２】
以上説明したように、本実施形態によれば、ブロック２から離隔して配置したナット１１にボルト１５を螺合させるので、前記のインサートを使用した場合のような空隙によるブロック２の耐久性の低下が生じない。またナット１１の中に異物が溜まるといったこともない。さらに、必要に応じてナット１１を交換することも可能であり、図６のようなインサートでは交換時にブロックのコンクリートを破壊する必要があるが、本実施形態ではナット１１の交換時にブロック２のコンクリートを破壊する必要もない。
【００３３】
また、アンカー筋１３の一方の端部をブロック２に埋設し、他方の端部にナット１１を取り付けることで、ナット１１を好適に位置固定できる。さらに、前記した方法により、上段のブロック２を高さ調整されたスペーサ機構１により下段のブロック２上に支持し、上下のブロック間隔を所定値に保ちつつ、ブロック２を鉛直方向に好適に積層できる。
【００３４】
しかしながら、本発明はこれに限ることはない。例えば、アンカー筋１３の端部は、フック形状や折り曲げない直線状であってもよく、スペーサ機構１において、ナット１１とボルト１５の代わりに、互いに螺合する関係にある２つの部材を用いることも可能である。また、ナット１１の固定はアンカー筋１３によって行うものに限らず、例えばＬ字状の金物の一端をブロック２の表面に取付け、他端でナット１１を支持するような構造でもよい。
【００３５】
その他、本実施形態では下段のブロック２の上面にスペーサ機構１を設けたが、上段のブロック２の下面にスペーサ機構１を設けてもよい。
【００３６】
この時、上下のブロック２の配置状態は、例えば図２の上下を入れ替えた形となる。またスペーサ機構１を設けた上段のブロック２の下面は、水平方向に対して傾斜していてもよい。上段のブロック２の配置方法については、上段のブロック２の下面のスペーサ機構１にてボルト１５の高さ調整を行うほかは、図３（ａ）〜（ｃ）で説明したものと略同様である。
【００３７】
例えば図４は上段のブロック２の配置途中を示す図であり、前記した図３（ｂ）に対応する工程を示す。ここでは、上段のブロック２を、頭出しされた図中手前側の２つのスペーサ機構１で下段のブロック２上に支持しつつ、鉛直方向から手前側に若干傾斜した状態で配置する。以降の手順は前記したものと略同様である。
【００３８】
次に、本発明の第２の実施形態について説明する。第２の実施形態は、第１の実施形態と異なる構成について主に説明し、同様の点については図等で同じ符号を付すなどして説明を省略する。また、第２の実施形態で説明する各構成は、必要に応じて第１の実施形態と組み合わせて用いることが可能である。
【００３９】
[第２の実施形態]
図５は第２の実施形態に係るスペーサ機構１ａを示す図である。第２の実施形態のスペーサ機構１ａは、ブロック２の表面に形成した穴２ａに設けられる。アンカー筋１３の一方の端部は、穴２ａの底面２１からブロック２内に埋設される。また、第２の実施形態では球座１５ａが省略され、ボルト１５の頭部が平らな面となっている。
【００４０】
この第２の実施形態でも第１の実施形態と同様の効果が得られる。またスペーサ機構１ａが穴２ａに設けられるので、ブロック２の表面から突出する長さを短くできる。これにより、例えば上下にブロック２を積層する際に、その間隔を短くできる。
【００４１】
さらに、第２の実施形態ではボルト１５の頭部が平らな面であり、この面で上段の（もしくは下段の）ブロック２に接触するので、球座１５ａの表面の一点でブロック２に接触する第１の実施形態に比べて接触対象のブロック２の損傷等を防止しやすい。一方、第１の実施形態の場合では、球座１５ａを用いることにより、ブロック２と接触した状態であってもボルト１５を容易に回転できる。
【００４２】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００４３】
１、１ａ；スペーサ機構
２；プレキャストブロック
２ａ；穴
１１；ナット
１３；アンカー筋
１５；ボルト
１５ａ；球座
【図１】
0006539490.tif 000002
【図２】
0006539490.tif 000003
【図３】
0006539490.tif 000004
【図４】
0006539490.tif 000005
【図５】
0006539490.tif 000006
【図６】
0006539490.tif 000007